(57)【要約】【課題】開閉操作性を向上させると共に、コンソールリッドの質感が低下しないようにる。【解決手段】コンソール本体１０に対してコンソールリッド２０を開閉可能に連結する連結部材５０が、第１枢支軸４２および第２枢支軸４６を介してコンソール本体１０の後側およびコンソールリッド２０に夫々枢支される。コンソール本体１０に設けたガイドレール６０に沿って移動可能な係止ピン７０が、コンソールリッド２０の前端側に設けられる。ガイドレール６０には、コンソールリッド２０が半開放位置にある場合に、係止ピン７０が該ガイドレール６０から離脱するのを許容するレール開口部６２が設けられる。コンソールリッド２０には、該リッド２０が全閉位置から半開放位置に変位した場合に第１枢支軸４２に係脱可能に係止する係止部材８０が設けられる。【選択図】図９
2008143369.tif 000002
【特許請求の範囲】
【請求項１】
物品収納部を画成したコンソール本体と、前記コンソール本体の上部に配設されて前記物品収納部を開閉するコンソールリッドとを備え、前記コンソールリッドが、前記物品収納部を全面的に閉成する全閉位置と、該物品収納部を部分的に開放する半開放位置と、該物品収納部を全面的に開放する全開位置との間で変位するよう構成したコンソールリッドの開閉構造であって、
前記コンソールリッドおよび前記コンソール本体の後側に夫々枢支されて、該コンソール本体に対して該コンソールリッドを開閉可能に連結する連結部材と、
前記コンソールリッドの前端側に設けられ、前記コンソール本体に設けたガイドレールに沿って移動可能な係止ピンと、
前記コンソールリッドが前記半開放位置にある場合に、前記係止ピンが前記ガイドレールから離脱するのを許容するレール開口部とからなる
ことを特徴とするコンソールリッドの開閉構造。
【請求項２】
前記コンソールリッドは、前記全閉位置から前記半開放位置に変位した場合に、前記連結部材と前記コンソール本体とを連結する第１枢支軸に係脱可能に係止する係止部材を備える請求項１記載のコンソールリッドの開閉構造。
【請求項３】
前記コンソールリッドは、前記係止部材を前記第１枢支軸に係止させる方向へ付勢する付勢部材と、該第１枢支軸との係止を解除する方向へ前記係止部材を姿勢変位させ得る操作部材とを備える請求項２記載のコンソールリッドの開閉構造。
【請求項４】
前記コンソールリッドは、前記半開放位置において、重心が前記第１枢支軸より後方側に位置するよう構成される請求項２または３記載のコンソールリッドの開閉構造。
【請求項５】
前記連結部材は、前記コンソールリッドが前記全閉位置にある場合に、該連結部材と前記コンソールリッドとを連結する第２枢支軸が前記第１枢支軸より上方に位置して、前記コンソール本体のリッド載置面に対して該連結部材が傾斜姿勢で臨むよう構成した請求項２〜４の何れか一項に記載のコンソールリッドの開閉構造。
【発明の詳細な説明】
【技術分野】
【０００１】
本発明は、コンソールリッドの開閉構造に関し、更に詳細には、物品収納部を画成したコンソール本体と、コンソール本体の上部に配設されて物品収納部を開閉するコンソールリッドとを備え、コンソールリッドが、物品収納部を全面的に開放する全開位置と、該物品収納部を部分的に開放する半開放位置と、該物品収納部を全面的に開放する全開位置との間で変位するよう構成したコンソールリッドの開閉構造に関するものである。
【背景技術】
【０００２】
セダンタイプやステーションワゴンタイプ等の自動車では、車内における前部座席間(運転席と助手席との間)のフロアに、フロアコンソールを設置した車種が多い。このフロアコンソールは、インジェクション成形部材である合成樹脂製のコンソール本体を主体とし、このコンソール本体には上方へ開口する物品収納部が設けられており、物品を出し入れ可能に収納し得るようになっている。そして、コンソール本体の上部には、物品収納部の上部開口部を開閉するコンソールリッドが配設されており、このコンソールリッドを姿勢変位させることで物品収納部の上部開口部を開閉することができる。
【０００３】
コンソールリッドの開閉構造については、様々な形態が提案されると共に実用化されており、例えばヒンジ部材を介してコンソールリッドをコンソール本体に回動可能に配設した回動機構タイプ(特許文献１)や、コンソールリッドが前後中央部分で折曲する構造となっていて、全開時には二つ折り状態でコンソール本体に起立するようにしたリッド折曲機構タイプ(特許文献２)等が提案されて実施に供されている。更に、コンソールリッドがコンソール本体に対してスライド可能に配設されたスライド機構タイプや、コンソールリッドがコンソール本体に対してスライドおよび回動可能に配設されたスライド・回動機構タイプ等も実用化されている。
【特許文献１】特開２０００−１０３２９１号公報
【特許文献２】特開平８−２１６７９３号公報
【発明の開示】
【発明が解決しようとする課題】
【０００４】
特許文献１に開示の回動機構タイプからなるコンソールリッドの開閉構造は、構造がシンプルで低コストで製作できる等の利点があるが、コンソールリッドを全開させた際にリッド先端部が上方へ迫り上がるため、開閉操作時に上体を捻りながら腕を挙げるという無理な姿勢を伴う課題を内在していた。また、特許文献２に開示のリッド折曲機構タイプからなるコンソールリッドの開閉構造は、リッド先端部が上方へ迫り上がらないので開閉操作時に無理な姿勢を伴うことはないが、開放させたコンソールリッドがコンソール本体の上方へ突出した状態となるため、肘が当たって開閉操作を行ない難い欠点を内在していた。更には、コンソールリッドが前後中央で２つに分割されているため、全閉状態となっていても見切り線が視認されて見栄えが悪い等の課題もあった。
【０００５】
そこで本発明では、前述した従来の技術に内在している課題に鑑み、これを好適に解決するべく提案されたものであって、開放時のコンソールリッドの迫り上がりを少なくして開閉操作性を向上させると共に、該コンソールリッドの質感が低下しないようにしたコンソールリッドの開閉構造を提供することを目的とする。
【課題を解決するための手段】
【０００６】
前記課題を解決し、所期の目的を達成するため、請求項１に記載の発明は、
物品収納部を画成したコンソール本体と、前記コンソール本体の上部に配設されて前記物品収納部を開閉するコンソールリッドとを備え、前記コンソールリッドが、前記物品収納部を全面的に閉成する全閉位置と、該物品収納部を部分的に開放する半開放位置と、該物品収納部を全面的に開放する全開位置との間で変位するよう構成したコンソールリッドの開閉構造であって、
前記コンソールリッドおよび前記コンソール本体の後側に夫々枢支されて、該コンソール本体に対して該コンソールリッドを開閉可能に連結する連結部材と、
前記コンソールリッドの前端側に設けられ、前記コンソール本体に設けたガイドレールに沿って移動可能な係止ピンと、
前記コンソールリッドが前記半開放位置にある場合に、前記係止ピンが前記ガイドレールから離脱するのを許容するレール開口部とからなることを要旨とする。
【０００７】
従って、請求項１に係る発明によれば、コンソールリッドは、全閉位置と半開放位置との間で開閉操作する場合は、コンソール本体に対して連結部材が回動すると共に係止ピンが移動することに伴い、前端部が上方へ迫り上がることなく該コンソール本体の上部を移動して、物品収納部を部分的に開閉することができる。またコンソールリッドは、半開放位置と全開位置との間で姿勢変位させる場合は、コンソール本体に対する連結部材の回動に伴って該コンソール本体に対して回動して、物品収納部を全面的に開閉することができる。
【０００８】
請求項２に記載の発明は、請求項１記載の発明において、前記コンソールリッドは、前記全閉位置から前記半開放位置に変位した場合に、前記連結部材と前記コンソール本体とを連結する第１枢支軸に係脱可能に係止する係止部材を備えることを要旨とする。
従って、請求項２に係る発明によれば、半開放位置と全開位置との間でコンソールリッドを開閉させる際には、第１枢支軸に係止部材が係止されているので、コンソール本体に保持させた状態で該コンソールリッドを好適に回動させ得る。
【０００９】
請求項３に記載の発明は、請求項２記載の発明において、前記コンソールリッドは、前記係止部材を前記第１枢支軸に係止させる方向へ付勢する付勢部材と、該第１枢支軸との係止を解除する方向へ前記係止部材を姿勢変位させ得る操作部材とを備えることを要旨とする。
従って、請求項３に係る発明によれば、係止部材は、付勢部材の付勢力を利用して第１枢支軸に係止した状態に保持されるため、半開放位置と全開位置との間で開閉するコンソールリッドを、コンソール本体に対して適切に保持させることができる。また係止部材は、操作部材を指先で操作することで、第１枢支軸に対する係止状態を解除することができる。
【００１０】
請求項４に記載の発明は、請求項２または３に記載の発明において、前記コンソールリッドは、前記半開放位置において、重心が前記第１枢支軸より後方側に位置するよう構成されることを要旨とする。
従って、請求項４に係る発明によれば、コンソールリッドが半開放位置にある場合は、該コンソールリッドは自重により全開位置に向けて姿勢変位し易くなる。
【００１１】
請求項５に記載の発明は、請求項２〜４の何れか一項に記載の発明において、前記連結部材は、前記コンソールリッドが前記全閉位置にある場合に、該連結部材と前記コンソールリッドとを連結する第２枢支軸が前記第１枢支軸より上方に位置して、前記コンソール本体のリッド載置面に対して該連結部材が傾斜姿勢で臨むよう構成したことを要旨とする。
従って、請求項５に係る発明によれば、コンソールリッドを全閉位置から半開放位置へ移動させる場合の移動開始がスムーズとなる。
【発明の効果】
【００１２】
本発明に係るコンソールリッドの開閉構造によれば、開放時のコンソールリッドの迫り上がりが少ないので、該コンソールリッドの開閉操作性が好適に向上する。
【発明を実施するための最良の形態】
【００１３】
次に、本発明に係るコンソールリッドの開閉構造につき、好適な実施例を挙げて、添付図面を参照しながら以下説明する。実施例では、車両乗員室内のフロアに設置させるフロアコンソールに、コンソールリッドの開閉構造(以下、「リッド開閉機構」という)を実施した場合について説明する。なお実施例では、図１の左右方向が車両の前後方向であるので、これに合わせて図１の左右方向をフロアコンソールの前後方向(左方向が前方向)とする。
【実施例】
【００１４】
図１は、実施例に係るコンソールリッドの開閉構造を備えたフロアコンソールを、コンソールリッドを全閉位置に保持した状態で一部破断して示した部分側面図である。実施例のフロアコンソールＦＣは、上方に開口する物品収納部１２を画成したコンソール本体１０と、該コンソール本体１０の上部に配設され、物品収納部１２の上部開口部１２Ａを開閉するよう配設されたコンソールリッド２０とを備えている。そしてコンソールリッド２０は、物品収納部１２の上部開口部１２Ａを全面的に閉成する全閉位置(図１)と、上部開口部１２Ａを部分的に開放する半開放位置(図１０)と、上部開口部１２Ａを全面的に開放する全開位置(図１２)とに姿勢変位するように構成されている。
【００１５】
コンソール本体１０は、図１に示すように、例えばポリプロピレン(ＰＰ)等の合成樹脂素材からインジェクション成形された合成樹脂製の成形部材であって、外部意匠面を形成するアウター部材１４と、このアウター部材１４の内部後側部分に収容設置されて前述した物品収納部１２を形成して上方に開放するインナー部材１６とを有する。そして、コンソール本体１０の図示省略した前側部分は、チェンジレバーやドリンクホルダ等の配設部位とされ、前端部分が図示しないインストルメントパネルの中央下部に連結される。また、物品収納部１２の上部開口部１２Ａの周囲が、全閉位置に臨んだリッド載置面１８となる。なお、インナー部材１６の開口部が、前述した上部開口部１２Ａとなる。またアウター部材１４は、デザインにより複数の構成部品を組み合わせて形成される場合もある。
【００１６】
インナー部材１６の内部には、図１に示すように、物品収納部１２を前後に仕切る仕切板１６Ａが、該インナー部材１６の前後方向の所定位置に配設されており、物品収納部１２は前部領域１２Ｂと後部領域１２Ｃとに区画されている。そして実施例では、コンソールリッド２０が、主に前部領域１２Ｂを開放して水平姿勢にある位置を半開放位置とし(図１０)、前部領域１２Ｂおよび後部領域１２Ｃを全面的に開放して傾斜姿勢にある位置を全開位置としている(図１２)。
【００１７】
コンソールリッド２０は、図１および図２に示すように、前述したリッド載置面１８に整合して物品収納部１２の上部開口部１２Ａを全閉し得る形状・サイズとされ、例えばポリプロピレン(ＰＰ)等の合成樹脂素材からインジェクション成形されたバケット状のアッパー部材２２と、該アッパー部材２２に対して裏側から組付けられるトレー状のロア部材２４とを有している。なお、実施例のコンソールリッド２０は、アッパー部材２２の外面(上面)に配設される弾力部材２６と、該弾力部材２６を被覆する表皮材２８とを備えており、全閉位置に保持されている状態(図１)において、前部座席を利用する乗員のアームレストとしての機能を併有するよう構成されている。但し、コンソールリッド２０は、前述したアッパー部材２２およびロア部材だけで構成されることもある。
【００１８】
ロア部材２４の前端部には、図１および図２に示すように、コンソールリッド２０の内側へ陥凹的に形成された指掛部３０が設けられ、リッド開閉操作時に指先を掛け得るようになっている。また、ロア部材２４の底面における左右の後部側には、前後方向へ所要長さで延在する開口部３２,３２が形成されており、コンソールリッド２０が姿勢変位するに際し、後述するリッド支持部材４０および連結部材５０が挿通し得るようになっている。更に、ロア部材２４の前部における左右両側には、側外方へ開口した挿通口３４Ａを有する突出部３４,３４が形成されており、後述する係止ピン７０が、先端を該挿通口３４Ａから側外方へ延出した状態で収容されている。
【００１９】
次に、実施例のフロアコンソールＦＣが備えるコンソールリッドの開閉構造につき、各図面を引用して説明する。なお、実施例に係るコンソールリッドの開閉構造は、コンソールリッド２０の左右両側に同一の部材が対称的に配設された構成となっているため、同一部材は同一符号を付して説明する。
【００２０】
コンソール本体１０の上面(リッド載置面１８)における後側部分の左右両側には、図１および図２に示すように、板状のリッド支持部材４０,４０が対向した状態で立設され、各リッド支持部材４０における上端部の内側には、同一軸線上において対向する第１枢支軸４２,４２が水平方向に突設されている。また、コンソールリッド２０のロア部材２４における左側壁２４Ａおよび右側壁２４Ｂの内側には、該ロア部材２４の後端縁から前方へ所要距離離間した位置に、内側へ突出したボス部４４,４４が一体的に形成されており、各ボス部４４の内端面には、同一軸線上において対向する第２枢支軸４６,４６が水平方向に突設されている。
【００２１】
各第１枢支軸４２および各第２枢支軸４６には、所要長さのレバー状を呈する連結部材５０,５０が、回動可能に枢支されている。すなわち各連結部材５０は、長さ方向の一方の端部(第１端部)５２が第１枢支軸４２に回動可能に枢支され、コンソール本体１０に対して前後方向へ回動可能に連結されている。また各連結部材５０は、長さ方向の他方の端部(第２端部)５４が第２枢支軸４６に回動可能に枢支され、コンソールリッド２０に対して前後方向へ回動可能に連結されている。従ってコンソールリッド２０は、各連結部材５０がコンソール本体１０およびコンソールリッド２０に対して回動しながら相対的に姿勢変位することで、該コンソール本体１０の前後方向への移動と、該コンソール本体１０に対する回動とが可能となっている。
【００２２】
また、インナー部材１６の左側壁および右側壁の上縁部には、図１、図２および図５に示すように、側内方へ開口するガイドレール６０,６０が、インナー部材１６の前端部から後方へ所要長さで直線的に延在している。各ガイドレール６０は、コンソールリッド２０が全閉位置(図１)に臨んでいる状態において前述した各突出部３４の係止ピン７０が臨む位置から、コンソールリッド２０が半開放位置(図１０)に臨んでいる状態において該係止ピン７０が臨む位置まで水平に移動し得る長さに設定されている。
【００２３】
そして、各ガイドレール６０の後端部には、図５および図６に示すように、係止ピン７０の通過を許容する開口幅のレール開口部６２が、リッド載置面１８に上方へ開口するように形成されている。従って、コンソールリッド２０が半開放位置にある場合には、ガイドレール６０に係止されている係止ピン７０が、レール開口部６２を通過して該ガイドレール６０から離脱するのを許容すると共に、ガイドレール６０から離脱していた係止ピン７０が、レール開口部６２を通過して該ガイドレール６０に係止するのを許容するよう構成されている。
【００２４】
更に各ガイドレール６０は、図６(ｂ)および図７(ａ)に示すように、前端部および後端部を除く略全体の部分が第１深さＴ１に設定されており、係止ピン７０が、後述する後退位置に変位している状態において、スライド移動し得る深さに設定されている。また、各ガイドレール６０の前端部は、図６(ｂ)および図７(ｂ)に示すように、第１深さＴ１より深い第２深さＴ２に設定された前端係止部６４となっており、後述する突出位置に変位した係止ピン７０が突入し得る深さに設定されている。一方、各ガイドレール６０のレール開口部６２に臨む後端部は、図６(ｂ)および図８(ａ)に示すように、下縁部分は第１深さＴ１に設定されると共にレール開口部６２に臨む上縁部分が第２深さＴ２に設定されており、下縁部分から上縁部分に向けて徐々に深さが大きくなる傾斜面６６が形成されている。
【００２５】
コンソールリッド２０のロア部材２４の前端部に形成した各突出部３４の内側凹部には、図１〜図４に示すように、各ガイドレール６０に突入して摺動可能な丸棒状をなす前述の係止ピン７０,７０が、挿通口３４Ａから側外方へ突出した状態に配設されている。各係止ピン７０は、ロア部材２４の左側壁２４Ａおよび右側壁２４Ｂから水平に突出した支持ピン７２,７２に挿通支持されたスライド部材７４に一体的に形成されており、該スライド部材７４が該支持ピン７２の軸方向へスライド移動することで、突出部３４の内側凹部において係止ピン７０が軸方向にスライド移動するよう構成されている。すなわち各係止ピン７０は、スライド部材７４が左側壁２４Ａまたは右側壁２４Ｂに近接する方向へ移動すると、挿通口３４Ａから側外方へ移動して該挿通口３４Ａからの突出量が大きくなる突出位置に移動し(図３および図７(ｂ))、該スライド部材７４が左側壁２４Ａまたは右側壁２４Ｂから離間する方向へ移動すると、突出部３４の内側凹部へ移動して挿通口３４Ａからの突出量が小さくなる後退位置に移動するようになっている(図４および図７(ａ))。なお、左側壁２４Ａまたは右側壁２４Ｂと各スライド部材７４との間には、各支持ピン７２に外装された第１圧縮コイルバネ７６が配設されており、各スライド部材７４を、常には後述する操作部材９０に押し付け、係止ピン７０を後退位置に向けて付勢するように構成されている。
【００２６】
一方、コンソールリッド２０は、図１〜図４に示すように、全閉位置から半開放位置に変位した場合に、連結部材５０とコンソール本体１０とを連結する各第１枢支軸４２に係脱可能に係止する係止部材８０,８０を備えている。各係止部材８０は、第１枢支軸４２に当接する凹部が形成された円弧状の部材であって、ロア部材２４の内側略中央においてコンソールリッド２０の左右方向に延在するよう配設された回動ロッド８２の左右両端部分に夫々固定されている。従って各係止部材８０は、回動ロッド８２と一体的に回動するようになっている。なお、回動ロッド８２は、ロア部材２４の内側に突設されて左右方向へ所要間隔離間する軸支部８４,８４に貫通支持されており、中央部分にピニオンギア８６が配設されている。
【００２７】
前述した各係止部材８０は、図３および図４等に示すように、ロア部材２４の内部前側に配設された操作部材９０に連繋され、該操作部材９０に対する指先操作に基づいて、第１枢支軸４２に係止する係止位置(図３(ｂ))と、第１枢支軸４２との係止が解除される非係止位置(図４(ｂ))との間で姿勢変位可能となっている。操作部材９０は、横長台形状に形成された本体部９２と、本体部９２の前端から前方へ突設された操作部９４と、本体部９２の後端から後方へ延出した連繋部９６とからなっている。本体部９２は、左側端面９２Ａおよび右側端面９２Ｂが前方に向けて相互に近接する傾斜面となっており、これら左側端面９２Ａおよび右側端面９２Ｂに、前述した各スライド部材７４の当接面７４Ａが当接するようになっている。操作部９４は、ロア部材２４の前側に設けた前側開口部３６を介して指掛部３０に臨むようになり、該指掛部３０を把持する際に指先によるプッシュ操作が可能となっている。また連繋部９６は、長手方向の中央部分において上下に屈曲した形状となっており、後側部分が前述した回動ロッド８２の上方に臨んでいると共に、該後側部分の下面には、前述した回動ロッド８２に設けたピニオンギア８６と噛合するラックギア９８が設けられている。
【００２８】
前述した操作部材９０は、ロア部材２４に設けた前述の前側開口部３６に操作部９４が挿通されると共に、該ロア部材２４の底面に立設された支持リブ３８,３８に連繋部９６が摺動可能に挿通されていて、ロア部材２４に対して前後方向へのスライド移動が可能に配設されている。また、前側の支持リブ３８の前面と本体部９２の後端面との間には、左右に所要距離離間して２個の第２圧縮コイルバネ(付勢部材)１００,１００が架設されており、操作部材９０をロア部材２４の前方方向に付勢している。すなわち操作部材９０は、常には本体部９２の前端部が指掛部３０の裏面に当接した状態に付勢保持されている。なお、各第２圧縮コイルバネ１００によって発現される付勢力は、前述した各第１圧縮コイルバネ７６が発現する付勢力より大きく設定されている。従って操作部材９０は、各第１圧縮コイルバネ７６の付勢力により、各スライド部材７４の当接面７４Ａが本体部９２の左側壁面９２Ａまたは右側壁面９２Ｂに押し付けられた状態でも、各第２圧縮コイルバネ１００の付勢力によってコンソールリッド２０の前方側へ移動して、操作部９４が指掛部３０に突出した状態に保持されるよう構成されている。そして操作部材９０は、指掛部３０に突出している操作部９４を、該指掛部３０に把持した指の先で後方へ押すと、各第２圧縮コイルバネ１００の付勢力に反して後方へ移動するようになっている。
【００２９】
ピニオンギア８６およびラックギア９８を介して操作部材９０と連繋された各係止部材８０は、図３(ａ)および図３(ｂ)に示すように、該操作部材９０が各第２圧縮コイルバネ１００の付勢力により前方に位置している場合は、第１枢支軸４２を抱えるように係止可能な係止位置に姿勢変位するようになっている。また、図４(ａ)および図４(ｂ)に示すように、指先操作により操作部材９０を後方へ移動させた場合は、ラックギア９８の後方移動によりピニオンギア８６が回転して回動ロッド８２が図４(ｂ)において時計方向へ回動して、各係止部材８０は、第１枢支軸４２から離間して該第１枢支軸４２との係止が解除される非係止位置に姿勢変位するよう構成されている。
【００３０】
一方、スライド部材７４,７４を介して操作部材９０と連繋された前述の各係止ピン７０は、図３(ａ)および図３(ｂ)に示すように、該操作部材９０が各第２圧縮コイルバネ１００の付勢力により前方に位置している場合は、左側端面９２Ａに当接したスライド部材７４および右側端面９２Ｂに当接したスライド部材７４が、所謂くさび作用により各々左側壁２４Ａおよび右側壁２４Ｂに近接する方向へ押されるので、前述した突出位置に姿勢変位するようになっている。また各係止ピン７０は、図４(ａ)および図４(ｂ)に示すように、指先操作により操作部材９０を後方へ移動させた場合は、左側端面９２Ａおよび右側端面９２Ｂが各スライド部材７４から離れる方向へ相対的に移動し、各スライド部材７４が第１圧縮コイルバネ７６の付勢力により左側壁２４Ａおよび右側壁２４Ｂから夫々離間する方向へ移動することで、前述した後退位置に姿勢変位するよう構成されている。
【００３１】
一方、各突出部３４の挿通口３４Ａから大きく突出した突出位置にある各係止ピン７０を、突出部３４内へ押し込むようにした場合には、各スライド部材７４が左側壁２４Ａおよび右側壁２４Ｂから離間する方向へ押されるため、所謂くさび作用により、操作部材９０がコンソールリッド２０の後方へ移動するよう構成されている。従って、突出位置にある各係止ピン７０が軸方向へ押された場合は、操作部９４を押した場合と同様に操作部材９０が後方側へ移動するため、図４(ｂ)に示すように、回動ロッド８２が図４(ｂ)において時計方向へ回動して、各係止部材８０が非係止位置に姿勢変位するようになっている。
【００３２】
そして、前述のように構成された実施例のコンソールリッド２０は、図１０に示した半開放位置において、該コンソールリッド２０の重心Ｇが、第１枢支軸４２より後方に位置するように構成されている。従って、半開放位置にあるコンソールリッド２０は、第１枢支軸４２を境とした前方側部分より後方側部分が重くなっているため、該第１枢支軸４２を回転中心として全開位置に向けて自然に回動するようになっている。
【００３３】
更に、コンソールリッド２０の重心Ｇは、連結部材５０とコンソールリッド２０とを連結する第２枢支軸４６より前方側に設定することにより、図９に示した最大傾斜状態(全閉位置と半開放位置との間)において、第１枢支軸４２から垂直に立ち上がっている連結部材５０より前側に位置するようになる。従って、最大傾斜状態と全閉位置との間にあるコンソールリッド２０は、第１枢支軸４２を境とした後方側部分より前方側部分が重くなっているため、全閉位置に向けて移動し易くなっている。
【００３４】
また、コンソールリッド２０が全閉位置にある場合は、図１に示すように、連結部材５０とコンソールリッド２０とを連結する第２枢支軸４６が、該連結部材５０とコンソール本体１０とを連結する第１枢支軸４２に対し、上方に位置するように設定されている。すなわち連結部材５０は、全閉位置にある場合に、コンソール本体１０のリッド載置面１８に対して、前上がりの傾斜姿勢で臨むように構成されている。従って、全閉位置にあるコンソールリッド２０を後方へ押した際には、第１枢支軸４２を中心とした連結部材５０の後方への回動開始がスムーズに発現されるようになっている。なお、リッド載置面１８に対する連結部材５０の傾斜角度Ｒ１は、１０度程度に設定するのが望ましい。
【００３５】
更に、コンソールリッド２０が半開放位置にある場合は、図１０に示すように、連結部材５０とコンソールリッド２０とを連結する第２枢支軸４６が、該連結部材５０とコンソール本体１０とを連結する第１枢支軸４２に対し、上方に位置するように設定されている。すなわち連結部材５０は、半開放位置にある場合に、後上がりの傾斜姿勢に保持されるように構成されている。従って、半開放位置にあるコンソールリッド２０を前方へ引いた(押した)際には、第１枢支軸４２を中心とした連結部材５０の前方への回動開始がスムーズに発現されるようになっている。なお、リッド載置面１８に対する連結部材５０の傾斜角度Ｒ２は、１０度程度に設定するのが望ましい。
【００３６】
(実施例の作用)
次に、前述のように構成された本実施例に係るコンソールリッドの開閉構造の作用について説明する。なお、前述したように、コンソールリッド２０を、物品収納部１２を全面的に閉成する全閉位置と、該物品収納部１２を部分的に開放する(主に前部領域１２Ｂを開放する)半開放位置と、該物品収納部１２を全面的に開放する全開位置との間で変位するよう支持する構造は、コンソールリッド２０を挟んで左右両側に配設されているが、以下の説明では図１に示す側を参照して説明する。
【００３７】
コンソールリッド２０が全閉位置に臨む状態では、図１、図２および図７(ｂ)に示すように、各ガイドレール６０に係止している各係止ピン７０は、対応のガイドレール６０の前端部に臨み、各第２圧縮コイルバネ１００の付勢力により突出位置に変位して前端係止部６４に突入している。また、コンソール本体１０とコンソールリッド２０とを連結した各連結部材５０は、リッド載置面１８に対して前上がりの傾斜状態に保持されている。これによりコンソールリッド２０は、ロア部材２４がリッド載置面１８に略密着し、各係止ピン７０が前端係止部６４に突入しているため、物品収納部１２の上部開口部１２Ａを全面的に覆蓋した状態でコンソール本体１０にロックされている。
【００３８】
コンソールリッド２０が全閉位置にあるときに物品収納部１２の前部領域１２Ｂを開放する場合は、図４(ａ)および図４(ｂ)に示すように、先ず指掛部３０を把持しながら操作部材９０を指先で押して、突出位置にあった各係止ピン７０を後退位置へ移動させて前端係止部６４から退避させ、コンソールリッド２０とコンソール本体１０とのロック状態を解除する。次に、操作部材９０を押した状態でコンソールリッド２０を後方へ押すと、図６(ｂ)に示すように、後退位置に保持されている各係止ピン７０が対応のガイドレール６０に沿って後方へ移動すると共に、連結部材５０が第１枢支軸４２を中心として後方へ回動する。従ってコンソールリッド２０は、連結部材５０の回動変位に伴って後端側を徐々に浮上させながら後方へ移動し、図９に示すように、半開放位置に至る過程において連結部材５０が垂直まで回動した際に、前下がりの最大傾斜状態に該コンソールリッド２０が姿勢変位するようになる。
【００３９】
図９の状態から更にコンソールリッド２０を後方へ押すと、各係止ピン７０が対応のガイドレール６０に沿って更に後方へ移動すると共に、連結部材５０が第１枢支軸４２を中心として更に後方へ回動する。従ってコンソールリッド２０は、後端側を徐々に降下させながら後方へ移動し、各係止ピン７０が対応のガイドレール６０の後端部に到来すると、図１０に示すように、略水平状態となって半開放位置に臨むようになる。このとき、物品収納部１２における前部領域１２Ｂは開放され、該前部領域１２Ｂへの物品の収納あるいは物品の取り出しを行なうことができる。
【００４０】
なお、操作部材９０に対する指先操作は、コンソールリッド２０が全閉位置から少しだけ後方へ移動して、各係止ピン７０が前端係止部６４から後方へ移動したら解除してもよい。この場合に各係止ピン７０は、各第２圧縮コイルバネ１００の付勢力により、先端がガイドレール６０に接触した状態で該ガイドレール６０に沿って摺動するため、コンソールリッド２０の開閉操作に支障は来さない。
【００４１】
コンソールリッド２０が半開放位置にあるときに物品収納部１２の前部領域１２Ｂを閉成する場合は、指掛部３０を把持したもとでコンソールリッド２０を前方へ移動させる。これによりコンソールリッド２０は、各係止ピン７０がガイドレール６０に沿って前方へ移動すると共に、各連結部材５０が第１枢支軸４２を中心として前方へ回動するので、後端側を徐々に浮上させながら前方へ移動し、図９に示すように、全閉位置に至る過程において連結部材５０が垂直まで回動した際に、前下がりの最大傾斜状態に姿勢変位する。図９の状態から更にコンソールリッド２０を前方へ移動させると、各係止ピン７０が対応のガイドレール６０に沿って更に前方へ移動すると共に、連結部材５０が第１枢支軸４２を中心として更に前方へ回動するため、コンソールリッド２０は、後端側を徐々に降下させながら前方へ移動する。そして、各係止ピン７０が対応のガイドレール６０の前端部に到来すると、図１に示すように、コンソールリッド２０は略水平状態となって全閉位置に臨むようになり、各係止ピン７０が各第２圧縮コイルバネ１００の付勢力により前端係止部６４に突入するため、コンソールリッド２０はコンソール本体１０にロックされる。
【００４２】
なお、コンソールリッド２０が、図９に示す最大傾斜状態にあるときは、前述したように、重心Ｇが垂直に立ち上がった連結部材５０より(第１枢支軸４２より)前方に位置している。従ってコンソールリッド２０は、図９の状態から自重により全閉位置の方向へ移動し易くなり、軽い力を加えるだけで該コンソールリッド２０を全閉位置へ移動させることができる。
【００４３】
一方、コンソールリッド２０が半開放位置(図１０)にある状態で物品収納部１２の後部領域１２Ｃを開放する場合は、図１１に示すように、指掛部３０を把持しながらコンソールリッド２０の前端部を上方へ引き上げる。コンソールリッド２０の前端部を少しだけ上方へ引き上げると、図８(ａ)に示すように、各係止ピン７０は、傾斜面６６に先端を接触させながらレール開口部６２を通過し、リッド載置面１８の上方へ抜け出た際には突出位置へ移動するようになる。従って、各係止ピン７０が突出位置へ移動することで操作部材９０が前方へ移動するため、各係止部材８０が非係止位置から係止位置へ姿勢変位して各第１枢支軸４２に係止される。
【００４４】
すなわち、図１０の半開放位置から、コンソールリッド２０の前端部を引き上げると同時に、各係止部材８０が各第１枢支軸４２に係止されるので、コンソールリッド２０に対する連結部材５０の回動が規制される。従ってコンソールリッド２０は、各連結部材５０が第１枢支軸４２を中心として後方へ回動するのに伴い、該第１枢支軸４２を中心として後端側を徐々に下降させながら後方へ回動し、図１２に示すように、ロア部材２４がコンソール本体１０の後部傾斜面１０Ａに当接すると、所要角度の傾斜状態である全開位置に臨むようになる。このとき、物品収納部１２における後部領域１２Ｃが開放され、該後部領域１２Ｃへの物品の収納あるいは物品の取り出しを行なうことができる。
【００４５】
なお、コンソールリッド２０が、図１０に示す半開放位置にあるときは、前述したように、重心Ｇがコンソール本体１０より後方(第１枢支軸４２より後方)に位置している。従ってコンソールリッド２０は、自重により全開位置の方向へ回動し易くなり、軽い力を加えるだけで該コンソールリッド２０を全開位置へ移動させることができる。
【００４６】
また、コンソールリッド２０が全開位置にあるときに物品収納部１２の後部領域１２Ｃを閉成する場合は、傾斜状態にあるコンソールリッド２０の前端部を下方へ押し下げる。これによりコンソールリッド２０は、各連結部材５０が第１枢支軸４２を中心として前方へ回動するのに伴い、該第１枢支軸４２を中心として半開放位置に向けて回動するようになる。そして、コンソールリッド２０が半開放位置に臨む直前に、突出位置にあった各係止ピン７０が、レール開口部６２から対応のガイドレール６０の後端部へ突入する。この突入時において各係止ピン７０は、図８(ａ)および図８(ｂ)に示すように、先端が傾斜面６６に当接するので突出位置から後退位置へ押されて移動するようになり、図４(ｂ)に示すように、操作部材９０が第２圧縮コイルバネ１００の付勢力に抗して後方へ移動するので、各第１枢支軸４２に係止されていた各係止部材８０は、係止位置から非係止位置に姿勢変位して該第１枢支軸４２との係止状態が解除される。
【００４７】
前述した実施例に係るコンソールリッドの開閉構造によれば、次のような作用効果を奏する。先ず、コンソール本体１０とコンソールリッド２０とを連結部材５０で回動可能に連結すると共に、コンソール本体１０に設けたガイドレール６０にコンソールリッド２０に設けた係止ピン７０を移動可能に係止させる構成とした。従ってコンソールリッド２０は、全閉位置と半開放位置との間で開閉操作する場合は、コンソール本体１０に対する連結部材５０の回動および係止ピン７０の移動に伴い、前端部が上方へ迫り上がることなく該コンソール本体１０の上部を前後方向へ移動して物品収納部１２の前部領域１２Ｂを開閉することができる。なお、コンソールリッド２０が全閉位置と半開放位置との間を移動するに際して、該コンソールリッド２０の後端部が所要量だけ昇降するようになるが、指掛部３０を把持した状態での腕の角度とコンソールリッド２０の傾斜角度とが略一致するため、開閉操作に支障を来すことがない。しかもコンソールリッド２０は、半開放位置にある場合には略水平状態となっているため、物品収納部１２の前部領域１２Ｂに対して物品の出し入れを行なう際に、肘が該コンソールリッド２０に接触することがなく、前述した特許文献２に開示されたドア開閉機構に内在する問題点を好適に解消できる。
【００４８】
また、ガイドレール６０の後端部にレール開口部６２を設けたことにより、コンソールリッド２０が半開放位置にある場合は、該ガイドレール６０から係止ピン７０を離脱させることができる。従ってコンソールリッド２０は、半開放位置と全開位置との間で姿勢変位させる場合は、コンソール本体１０に対する連結部材５０の回動に伴って該コンソール本体１０に対して回動して、物品収納部１２の後部領域１２Ｃを開閉することができる。しかも、コンソールリッド２０が全開位置に臨んだ際には、図１２から明らかなように、該コンソールリッド２０の後端部がコンソール本体１０の後方側へ沈み込むようになるため、前端部の上方への迫り上がりを小さく抑えることができる。従って、実施例に係るコンソールリッドの開閉構造では、前述した特許文献１に開示されたドア開閉機構に内在する問題点も好適に解消できる。
【００４９】
また、半開放位置と全開位置との間でコンソールリッド２０を開閉させる際には、第１枢支軸４２に係止部材８０が係止されているので、コンソール本体１０に保持させた状態で該コンソールリッド２０を好適に回動させ得る。また各係止部材８０は、第２圧縮コイルバネ１００の付勢力を利用して第１枢支軸４２に係止した状態に保持されるため、半開放位置と全開位置との間で開閉するコンソールリッド２０を、コンソール本体１０に対して適切に保持させることができる。更に各係止部材８０は、操作部材９０を指先で操作したり、コンソールリッド２０の開閉操作に伴って係止ピン７０が突出位置から後退位置へ移動すると、第１枢支軸４２に対する係止状態を解除することもできる。
【００５０】
また、コンソールリッド２０が半開放位置にある場合には、該コンソールリッド２０の重心Ｇが第１枢支軸４２の後方側に位置するため、該コンソールリッド２０は自重により全開位置に向けて姿勢変位し易くなる。更に連結部材５０は、コンソールリッド２０が全閉位置にある場合に、後方への回動開始がスムーズに発現するように傾斜状態となっているため、該コンソールリッド２０を全閉位置から半開放位置へ移動させる場合の移動開始がスムーズとなる。更にまた連結部材５０は、コンソールリッド２０が半開放位置にある場合に、前方への回動開始がスムーズに発現するように傾斜状態となっているため、該コンソールリッド２０を半開放位置から全閉位置へ移動させる場合の移動開始がスムーズとなる。
【００５１】
(変更例)
前述した実施例では、図８に示すように、各ガイドレール６０における後端部を、下縁部分から上縁部分(レール開口部６２)に向けて傾斜した傾斜面６６とした場合を例示したが、図１３に示すように、下縁部分から上縁部分に亘って第２深さＴ２となるように形成してもよい。各ガイドレール６０の後端部を第２深さＴ２とした場合には、コンソールリッド２０を全閉位置から半開放位置へ移動させる際は、図１３(ａ)に示すように、操作部材９０に対する指先操作を解除していれば、該コンソールリッド２０が半開放位置に臨むと同時に各係止ピン７０が突出位置に移動する。従って、コンソールリッド２０が半開放位置に臨むと同時に、第２圧縮コイルバネ１００の付勢力により操作部材９０が前方へ移動し、各係止部材８０が係止位置に姿勢変位して各第１枢支軸４２に係止されるようになる。また、コンソールリッド２０を全開位置から半開放位置へ移動させた場合は、図１３(ｂ)に示すように、各係止ピン７０は突出位置に保持されたままでレール開口部６２を介してガイドレール６０へ係止されるようになるので、各係止部材８０は係止位置に保持されて各第１枢支軸４２に係止されている。なお、変更例の開閉構造では、コンソールリッド２０を半開放位置から全閉位置へ移動させる場合は、先ず操作部材９０を指先で押して後方へ移動させて、各係止ピン７０を後退位置に移動させると共に、各係止部材８０を非係止位置へ姿勢変位させて各第１枢支軸４２との係止を解除させたもとで、コンソールリッド２０を前方へ移動させ得るようになる。
【００５２】
また、前述した実施例では、各係止ピン７０に設けたスライド部材７４と操作部材９０の本体部９２とを、当接面７４Ａと左側壁面９２Ａおよび右側壁面９２Ｂを当接させた連繋形態を例示したが、操作部材９０を後方へ移動させた際に各係止ピン７０が退避位置へ適切に移動し、また各係止ピン７０を突出位置から後退位置へ移動させた際に操作部材９０が後方へ適切に移動し得れば、例えばリンク機構やカム機構等の他の連繋態様を採用することも可能である。
【００５３】
なお、実施例の開閉構造では、全閉位置と半開放位置との間の移動長は、連結部材５０の長さ(第１枢支軸４２と第２枢支軸４６との軸間距離)に依存されるものであり、該連結部材５０の長さを大きく設定すれば、全閉位置と半開放位置との移動長を大きく設定することができる。
【００５４】
また、前述した実施例では、操作部材９０の操作部９４を押すことで該操作部材９０を後方へ移動させる形態を例示したが、指掛部３０内に別途の回動式のレバー部材を配設して、該レバー部材と操作部材９０とを連繋した形態としてもよい。
【００５５】
また、コンソールリッド２０が全閉位置と半開放位置との間を移動する過程で前下がりの傾斜状態となった際に(図９)、この傾斜状態で該コンソールリッド２０を停止保持させる構造を追加してもよい。このようにコンソールリッド２０が傾斜状態となっている場合は、図９に示すように、物品収納部１２の前部領域１２Ｂの略全体が開放しているので、
該コンソールリッド２０を傾斜状態に保持させることで、該前部領域１２Ｂに対する物品の出し入れが可能である。しかも、傾斜したコンソールリッド２０の上面に腕を載せた状態で、該前部領域１２Ｂに対する物品の出し入れも可能である。
【００５６】
なお、前述した実施例では、コンソールリッド２０がコンソール本体１０の後方側へ開放する形態のフロアコンソールを例示したが、本願が対象とするフロアコンソールは、コンソールリッド２０がコンソール本体１０の前方側へ開放する形態や、コンソールリッド２０がコンソール本体１０の側方側(右側または左側)へ開放する形態も含まれる。
【産業上の利用可能性】
【００５７】
本発明に係るコンソールリッドの開閉構造は、物品収納部を画成したコンソール本体と、コンソール本体の上部に配設されて物品収納部を開閉するコンソールリッドとを備え、コンソールリッドが、物品収納部を全面的に開放する全開位置と、該物品収納部を部分的に開放する半開放位置と、該物品収納部を全面的に開放する全開位置との間で変位するよう構成したもので、車両乗員室内のフロアに設置されるフロアコンソール等に好適に実施可能である。
【図面の簡単な説明】
【００５８】
【図１】実施例に係るコンソールリッドの開閉構造を備えたフロアコンソールを、コンソールリッドを全閉位置に保持した状態で一部破断して示した部分側面図である。
【図２】図１のII−II線断面図である。
【図３】(ａ)は、操作部材が前方に位置した場合の係止部材および係止ピンの姿勢を部分的に示した平断面図であり、(ｂ)は、操作部材が前方に位置した場合の係止部材および係止ピンの姿勢を部分的に示した縦断面図である。
【図４】(ａ)は、操作部材が後方に位置した場合の係止部材および係止ピンの姿勢を部分的に示した平断面図であり、(ｂ)は、操作部材が後方に位置した場合の係止部材および係止ピンの姿勢を部分的に示した縦断面図である。
【図５】コンソール本体に設けたガイドレールおよびコンソールリッドに設けた係止ピンを示したフロアコンソールの部分斜視図である。
【図６】(ａ)は、図５のVIa−VIa線断面図であり、(ｂ)は、(ａ)のVIb−VIb線断面図である。
【図７】(ａ)は、図６(ａ)のVIIa−VIIa線断面図であり、(ｂ)は、図６(ａ)のVIIb−VIIb線断面図である。
【図８】図６(ａ)のVIII−VIII線断面図であって、(ａ)は、係止ピンがレール開口部を介してガイドレールから離脱した状態を示し、(ｂ)は、係止ピンがレール開口部を介してガイドレールへ係止された状態を示している。
【図９】実施例に係るコンソールリッドの開閉構造を備えたフロアコンソールを、コンソールリッドを全閉位置から半開放位置へ移動させている状態で一部破断して示した部分側面図である。
【図１０】実施例に係るコンソールリッドの開閉構造を備えたフロアコンソールを、コンソールリッドを半開放位置へ停止させた状態で一部破断して示した部分側面図である。
【図１１】実施例に係るコンソールリッドの開閉構造を備えたフロアコンソールを、コンソールリッドの前端部を半開放位置から少しだけ引き上げた状態で一部破断して示した部分側面図である。
【図１２】実施例に係るコンソールリッドの開閉構造を備えたフロアコンソールを、コンソールリッドを全開位置に停止させた状態で一部破断して示した部分側面図である。
【図１３】ガイドレールの変更例を示した説明断面図である。
【符号の説明】
【００５９】
１０ コンソール本体，１２ 物品収納部，１８ リッド載置面，２０ コンソールリッド，
４２ 第１枢支軸，４６ 第２枢支軸，５０ 連結部材，６０ ガイドレール，
６２ レール開口部，７０ 係止ピン，８０ 係止部材，９０ 操作部材，
１００ 第２圧縮コイルバネ(付勢部材)，Ｇ 重心
【図１】
2008143369.tif 000003
【図２】
2008143369.tif 000004
【図３】
2008143369.tif 000005
【図４】
2008143369.tif 000006
【図５】
2008143369.tif 000007
【図６】
2008143369.tif 000008
【図７】
2008143369.tif 000009
【図８】
2008143369.tif 000010
【図９】
2008143369.tif 000011
【図１０】
2008143369.tif 000012
【図１１】
2008143369.tif 000013
【図１２】
2008143369.tif 000014
【図１３】
2008143369.tif 000015